(57)【要約】【課題】レンタルビデオ店４がネットワーク通信システムを利用して、会員に対してビデオデータの提供を行えるレンタルビデオシステムを得る。【解決手段】レンタルビデオ店４と認証を行う事を特徴とし、ビデオデータを配信するサーバ１と、配信されたビデオデータを一時する一時記憶部６と会員証としても機能するデータ記録媒体８へ書き込む書きこみ部７を有するレンタル装置５とを接続したレンタルビデオシステムを提供する。サーバ１からビデオデータのダウンロードを行うため、レンタルビデオ店４では在庫を不要にすることができる。【選択図】        図１
2004178047.tif 000002
【特許請求の範囲】
【請求項１】
自装置を認証する認証情報をサーバへ送信し、送信した認証情報に基づいて自装置の認証を受けたサーバからレンタルするメディア情報を受信する通信部と、
レンタル対象者毎にメディア情報の再生を許可する再生条件を特定し、特定した再生条件情報と上記通信部が受信したメディア情報とを、レンタル対象者にレンタルするデータ記録媒体に書きこむ書きこみ部とを備えるレンタル装置。
【請求項２】
上記書きこみ部は、再生条件情報としてレンタル対象者を特定する情報とレンタル期間を特定する情報とを含んだ情報をデータ記録媒体に書きこむ請求項１に記載されたレンタル装置。
【請求項３】
上記書きこみ部は、レンタル対象者を特定する情報としてパスワードをデータ記録媒体に書きこむ請求項２に記載されたレンタル装置。
【請求項４】
上記書きこみ部は、上記通信部によって受信されたメディア情報をスクランブルしてデータ記録媒体に書きこむ請求項１に記載されたレンタル装置。
【請求項５】
上記書きこみ部は、上記通信部によって受信されたメディア情報を複数レベルの画質のうち、いずれかの画質を選択してデータ記録媒体に書きこみ、
上記レンタル装置は、さらに、
上記書きこみ部が書きこんだ画質のレベルに応じてデータ記録媒体をレンタルするレンタル料を決定するレンタル料決定部を備える請求項１に記載されたレンタル装置。
【請求項６】
上記書きこみ部は、広告情報の書きこみを許可するレンタル対象者に対して、レンタルするデータ記録媒体に上記広告情報を書きこみ、
上記レンタル料決定部は、上記広告情報の書きこみの有無によってデータ記録媒体をレンタルするレンタル料を決定する請求項１に記載されたレンタル装置。
【請求項７】
上記通信部は、サーバから暗号化されたメディア情報と暗号鍵とを受信し、
上記書きこみ部は、上記通信部によって受信された上記暗号鍵を使用して上記暗号化されたメディア情報を復号し、データ記録媒体に書きこむ請求項１に記載されたレンタル装置。
【請求項８】
メディア情報をレンタルするレンタル装置とメディア情報を配信するサーバとを備えたレンタルシステムであって、
上記レンタル装置は、自装置を認証する認証情報をサーバへ送信し、送信した認証情報に基づいて自装置の認証を受けた上記サーバからレンタルするメディア情報を受信する通信部と、
レンタル対象者毎にメディア情報の再生を許可する再生条件を特定し、特定した再生条件情報と上記通信部が受信したメディア情報とを、レンタル対象者にレンタルするデータ記録媒体に書きこむ書きこみ部とを備え、
上記サーバは、メディア情報を記憶したデータベースと、
上記通信部から受信した認証情報から上記レンタル装置を認証する認証部と、
上記認証部が認証した上記レンタル装置に対し、上記データベースが記憶したメディア情報を配信する配信部とを備えるレンタルシステム。
【請求項９】
上記レンタル装置の通信部は、上記データ記録媒体をレンタルするレンタル対象者に関する顧客情報をサーバへ送信し、
上記サーバは、さらに、
上記レンタル装置から送信された上記顧客情報を記憶する顧客情報データベースを備える請求項８に記載されたレンタルシステム。
【請求項１０】
自装置を認証する認証情報をサーバへ送信し、送信した認証情報に基づいて自装置の認証を受けたサーバからレンタルするメディア情報を受信し、
レンタル対象者毎にメディア情報の再生を許可する再生条件を特定し、特定した再生条件情報と上記受信したメディア情報とを、レンタル対象者にレンタルするデータ記録媒体に書きこむレンタル方法。
【請求項１１】
自装置を認証する認証情報をサーバへ送信し、送信した認証情報に基づいて自装置の認証を受けたサーバからレンタルするメディア情報を受信する処理と、
レンタル対象者毎にメディア情報の再生を許可する再生条件を特定し、特定した再生条件情報と上記受信したメディア情報とを、レンタル対象者にレンタルするデータ記録媒体に書きこむ処理とをコンピュータに実行させるレンタルプログラム。
【発明の詳細な説明】
【０００１】
【発明の属する技術分野】
この発明は、レンタルビデオシステムに関するものである。
【０００２】
【従来の技術】
ＵＲＬ：  ｈｔｔｐ：／／ｗｗｗ．ｅｐｅｐ．ｊｐ／で紹介される１１０度ＣＳデジタル放送にて行われている蓄積型双方向サービスについて説明する。
蓄積型双方向サービスは、ビデオデータのデータベースのあるネットワーク側からのビデオデータをオンデマンドでネットワークとデータ通信を行う端末装置に配信するサービス（有料または無料）である。
次に動作について説明する。
端末装置は、例えばインターネット経由でネットワークへビデオデータの配信要求を行う。ネットワークでは要求されたデータを例えば衛星放送などを使用して端末装置へ配信する。
端末装置においてそのデータをハードディスクへ蓄積しながら受信し、内容を視聴することができる。また端末ユーザはその内容をハードディスクの別領域を使用して一時的に録画する事もできる。
【０００３】
【非特許文献１】
１１０度ＣＳデジタル放送（蓄積型双方向サービス）
［２００２年１０月１７日検索］
インターネット（ＵＲＬ：  ｈｔｔｐ：／／ｗｗｗ．ｅｐｅｐ．ｊｐ／）
【０００４】
【発明が解決しようとする課題】
従来のレンタルビデオ店では在庫をかかえ、在庫のあるビデオテープの貸し出しを行っているため、レンタル需要の多いビデオは在庫を多く持つ必要があった。
また、１１０度ＣＳデジタル放送でサービスをしているこのような蓄積型双方向サービスをレンタルビデオ店に活用する事でレンタルビデオシステムを構築する、ネットワークからダウンロードして視聴する事が可能な従来のビデオデータ配信システムでは、衛星放送のアンテナや受信機、大容量ハードディスク内蔵の専用端末など特別な装置が必要であるという問題点があった。
【０００５】
この発明は、会員証である書き換え可能なメディア（例えば書換え型ＤＶＤ）にレンタルビデオ店にて視聴したい番組をパスワード付きで書きこみ、視聴時にはパスワードを入力して視聴することを目的とする。
【０００６】
【課題を解決するための手段】
この発明にかかるレンタル装置は、自装置を認証する認証情報をサーバへ送信し、送信した認証情報に基づいて自装置の認証を受けたサーバからレンタルするメディア情報を受信する通信部と、
レンタル対象者毎にメディア情報の再生を許可する再生条件を特定し、特定した再生条件情報と上記通信部が受信したメディア情報とを、レンタル対象者にレンタルするデータ記録媒体に書きこむ書きこみ部とを備える。
【０００７】
【発明の実施の形態】
以下、この発明の実施の形態を説明する。
発明の実施の形態１．
本実施の形態では、認証レンタルビデオ店４を確認する認証部２と配信するビデオデータを記憶するデータベース３を備え、認証したレンタルビデオ店４にビデオデータを配信するサーバ１と、エンドユーザ（会員）に対して、配信されたデータを書き換え可能なメディア（例えば書換え型ＤＶＤ）であるデータ記録媒体８へパスワード付きで書きこみを実施する書きこみ部７を有するレンタル装置５とを備えたレンタルビデオシステムについて説明する。
【０００８】
図１はビデオデータを配信するサーバ１と配信されたビデオデータを表示するレンタル装置５のあるレンタルビデオ店４とを示す図である。
図１において、サーバ１にはレンタルビデオ店４を認証する認証部２と、ビデオデータ等のメディア情報を記憶するデータベース３と、データベース３に記憶されたビデオデータ等のメディア情報を配信する配信部３０がある。
レンタル装置５は、配信されたビデオデータを保存する一時記憶部６を内蔵している。一時記憶部６は例えばハードディスク等で構成されている。また、レンタル装置５は、サーバ１との通信を行う通信部２０、サーバ１から配信されたビデオデータ等のメディア情報を、後述するデータ記録媒体８に書きこむ書きこみ部７を有する。
【０００９】
この実施の形態１では、サーバ１にて認証を行い、レンタルビデオ店４にてダウンロードしたビデオデータを会員（エンドユーザ）に貸し出すデータ記録媒体にパスワード付きで書きこむ。データ記録媒体８は、可搬性があるＣＤやＤＶＤなどの記録媒体をいい、サーバ１から配信されるビデオデータ等のメディア情報を書きこむための記録領域である。
メディア情報を書きこんだデータ記録媒体８はレンタルビデオ店の会員登録をしているエンドユーザに貸し出される。
【００１０】
図１に示したレンタル装置５の動作を説明する。図２はレンタル装置５の動作を示すフローチャートである。
図２において、通信部２０は、サーバ１へ自装置を認証する認証情報を送信する（Ｓ１０）。これに対し、サーバ１の認証部２は受信した認証情報に基づいてレンタル装置５の認証を行う。認証部２が、レンタル装置５を認証した場合、サーバ１の配信部３０は、レンタルするビデオデータを配信する。
通信部２０は、配信されたビデオデータを受信し（Ｓ１１）、一時記憶部６に一時記憶する（Ｓ１２）。
書きこみ部７は、レンタルビデオ店４の会員であるレンタル対象者毎にメディア情報の再生を許可するパスワードを特定する（Ｓ１３）。
書きこみ部７は、特定したパスワードと一時記憶部に記憶されたビデオデータとを、レンタル対象者にレンタルするデータ記録媒体８に書きこむ（Ｓ１４）。このように、書きこみ部７がデータ記録媒体８にパスワード付きで配信されたビデオデータの書きこみを行うことによって、データ記録媒体８はビデオデータの記憶領域であるとともに、パスワードを記録していることからレンタルビデオ店４の会員に対する会員証としての機能ももつ。
【００１１】
このデータ記録媒体８には、ビデオデータが書きこまれる領域とは別にビデオデータの再生を許可する再生条件を特定する再生条件情報を書きこむ領域が設けられている。再生条件を特定する再生条件情報には、レンタル対象者を特定する情報である会員の個人情報が含まれる。この領域に記憶された情報をリードすることでビデオデータを再生する再生装置は、レンタル対象者であるかを判定する。
また、再生条件情報にはレンタル期間を特定する情報も含まれる。このレンタル期間を特定する情報をリードすることでビデオデータを再生する再生装置は、レンタル対象者がレンタルできる期間を判定する。そして、レンタル期間外である場合には、再生装置はビデオデータを再生しない。このような工程を経てレンタル対象者は、ビデオデータを視聴する。
【００１２】
書きこみ部７が、データ記録媒体８（例えば書換え型ＤＶＤ）にパスワード付きで書き込むことにより、レンタル対象者である会員は例えばＤＶＤプレーヤーなどを用いた視聴時には、パスワード等の再生条件情報を入力することで視聴可能となる。パスワードを入力しない場合には視聴できないため、レンタル対象者以外の他の会員、ユーザは視聴する事ができない。
【００１３】
以上、ビデオデータをオンデマンドで配信するサービスにおいて、データベース３に記憶されたビデオデータを配信するサーバ１と、サーバ１からネットワークを通じて配信されたデータを保存する一時記憶部６と、会員証である書きこみ可能なメディア（データ記録媒体８）に対して、指定したパスワード付きでデータの書きこみができる書きこみ部７を備えたレンタル装置について説明した。
【００１４】
以上のように実施の形態１によれば、ネットワークで接続されたサーバ１とレンタルビデオ店４間で認証を行い、レンタルビデオ店４の会員にパスワード付きで会員証である書き換え可能なメディア（データ記録媒体８）に書き込みを行うため、ビデオデータの不正使用の防止ができるという効果が得られる。
また、レンタルビデオ店４では従来のように在庫を持つ必要がなくビデオデータの保管場所を不要にできるという効果が得られる。
【００１５】
発明の実施の形態２．
上記発明の実施の形態１では、パスワード付きでビデオデータを書き込む方法を示したが、ビデオデータ書き込み時に特定の暗号（スクランブル）をかけることとしてもよい。
本実施の形態は、ビデオデータ書き込み時に特定の暗号（スクランブル）をかけるビデオレンタルシステム、すなわち、会員（エンドユーザ）が希望する番組（ビデオデータ）をデータ記録媒体８に書きこむ際に、パスワードとともにスクランブルをかけ、会員宅にて視聴する際には契約にて設置した再生装置９によってスクランブルを解除するビデオレンタルシステムについて説明する。
【００１６】
図３はビデオデータを配信するサーバ１とレンタルビデオ店４のレンタル装置５がネットワークにより接続されたシステム構成図である。
レンタル装置５ではダウンロードしたビデオデータを一時的に保存する一時記憶部６を内蔵している。
本実施の形態のレンタル装置５ではサーバ１からダウンロードしたビデオデータをエンドユーザ（会員）にその会員だけのスクランブルをつけてデータ記録媒体８に書きこみを行う。
会員宅にはスクランブルを解除する機能を有する再生装置９を契約で設置する。再生装置９は、データ記録媒体８に記録されたビデオデータを再生するデータ再生部１１とスクランブルしたビデオデータを解除するスクランブル解除部１０とスクランブルを解除したビデオデータを視聴可能にするモニタ１２を備えている。
正当なレンタル対象者である会員のみがビデオデータのスクランブルを解除でき、モニタ１２によってビデオデータを視聴することができる。
【００１７】
このようにレンタルビデオ店４の書きこみ部７は、特定のスクランブルをつけてビデオデータをデータ記録媒体８に書き込み、会員はスクランブルを解除する再生装置９を使用することでビデオデータの視聴を可能にする。他の会員、ユーザは特定のスクランブルを解除できないため視聴してもデータにスクランブルがかかっているため正しく視聴できない。
【００１８】
以上、会員証であるデータ記録媒体８に特定のスクランブルをかけて書きこみを行う機能を特徴とするレンタル装置５と、会員にはその特定のスクランブルを解除する機能を特徴とするスクランブル解除部１０を有する再生装置９を備えたレンタルビデオシステムについて説明した。
【００１９】
以上のように実施の形態２によれば、各会員毎に異なる特定のスクランブルを使用し、またスクランブルを解除する装置を設置しなければ視聴可能にならないことで、ビデオデータの不正使用の防止ができるという効果が得られる。
【００２０】
発明の実施の形態３．
上記発明の実施の形態１、２では、ビデオデータの不正使用防止の方法を示したが、レンタルビデオ店４にてビデオデータ書き込み時に画質を選択して料金にランクをつけることとしてもよい。
本実施の形態に係るレンタルビデオシステムは、エンドユーザが希望する番組を希望する画質により料金設定ランクを備えたシステムである。
【００２１】
図４はビデオデータの配信を行うサーバ１とダウンロードしたデータを書き込むレンタル装置５とが接続されたシステム構成図である。
レンタル装置５には画質の選択を行う画質選択部１３が内蔵されている。本実施の形態に記載したレンタルビデオ店４のレンタル装置５は、サーバ１からダウンロードしたビデオデータを、会員機能を持つデータ記録媒体８に書きこみを行う際に、画質の選択をする事を可能とする。
レンタルビデオ店４では、レンタル料決定部２１が画質のランクに応じた、会員にレンタルに対する支払いを要求するレンタル料金を決定する。
会員は画質をレンタル料決定部２１の決定したレンタル料を参考に画質を選択する。
【００２２】
このようにビデオデータをデータ記録媒体８に書き込む際に画質の選択を行い、その画質に応じてレンタル料金にランクをつけることを特徴とするレンタルビデオシステムについて説明した。
【００２３】
以上のように実施の形態３によれば、会員はビデオデータの画質を選択し、レンタルビデオ店４ではその選択された画質のランクに応じたレンタル料でレンタルを行うことで、料金のランクづけができるという効果が得られる。
【００２４】
発明の実施の形態４．
上記発明の実施の形態３では、ビデオデータ書き込み時に画質を選択して料金にランクをつける方法を示したが、レンタルビデオ店４にてビデオデータ書き込み時に広告付きで書き込むことで料金を下げることとしてもよい。
本実施の形態係るレンタルビデオシステムは、エンドユーザが希望する番組を希望する広告表示により料金設定ランクを備えたものである。
【００２５】
図５はビデオデータの配信を行うサーバ１とダウンロードしたビデオデータをデータ記録媒体８に書き込むレンタル装置５とを接続したシステム構成図である。
レンタル装置５には、広告データの選択を行う広告選択部１４が内蔵されている。
レンタルビデオ店４では、書きこみ部７が、ダウンロードしたビデオデータを会員証としても機能するデータ記録媒体８に書きこむ際に、広告の書き込み選択をする事を可能とする。
レンタルビデオ店４では、広告書き込み有無に応じた料金設定ができ、会員は広告書き込みの有無を選択することでレンタル料金の選択をすることができる。広告書き込みを行う場合は会員に対するレンタル料金は無料にするなど格安とし、レンタルビデオ店では広告で収入をあげることができる。
【００２６】
このようにビデオデータ書き込み時に広告書き込みの選択を行い、広告書き込みの有無でレンタル料金の設定を行う。広告書き込みを行った場合、会員が視聴するときに広告が表示される。
【００２７】
以上、会員証の機能を有するデータ記録媒体８にビデオデータを書きこむ際に、広告有無を会員が選択可能にしておくことで、広告表示の有無でレンタル料金にランクをつけることを特徴とするレンタルビデオシステムについて説明した。
【００２８】
実施の形態４によれば、会員はビデオデータの広告書き込みを選択し、レンタルビデオ店では広告書き込みの有無に応じた料金でレンタルを行うことで、料金のランクづけができ、会員はレンタルしやすくなるという効果が得られる。
【００２９】
発明の実施の形態５．
上記発明の実施の形態３、４では、レンタルビデオの料金にランクをつける方法を示したが、レンタルビデオ店４にてビデオデータ書き込み時のビデオデータダウンロード時に特定の暗号をかけ不法コピーの防止を行うこととしてもよい。
本実施の形態に係るレンタルビデオシステムは、ビデオデータ配信時に特定の暗号をかけておく事を特徴とするビデオデータを配信するネットワークにて、認証を行い適正なレンタルビデオ店４と判断されれば、そのユーザに対する暗号鍵を配信することができるものである。
【００３０】
図６はビデオデータを配信するサーバ１とレンタルビデオ店４にてダウンロードしたデータを書き込むレンタル装置５が接続されたシステム構成図である。
サーバ１では、認証時に暗号鍵もレンタル装置５へ送信する。この暗号鍵は毎回異なる暗号鍵を使用する。ただし、暗号鍵の送信の負荷を考慮して、毎回異なる暗号鍵を使用する場合だけでなく一定期間毎に暗号鍵の更新を行うようにしてもよい。
【００３１】
このようにサーバ１にて認証を行い、レンタルビデオ店４と認証判断されればそのレンタルビデオ店４に対する毎回異なる暗号鍵を送信することで、レンタル装置５にてビデオデータの書き込みを可能にする。
【００３２】
以上、ビデオデータを配信するサーバ１からビデオデータをダウンロードする際に、特定の暗号鍵を設け、暗号鍵を使用してダウンロードしたビデオデータを復号し、復号したビデオデータをデータ記録媒体８に書きこむことを特徴とするレンタルビデオシステムについて説明した。
【００３３】
以上のように実施の形態５によれば、各レンタルビデオ店４に異なる暗号を使用し、また毎回データダウンロードの認証時に暗号鍵を取得しなければデータの書き込み可能にならないことで、ビデオデータの不正使用の防止ができるという効果が得られる。
またレンタルビデオ店４にてダウンロードを行う事により、会員は他の会員へ貸し出し中で自己へのレンタル不可という状態をなくすことができる。
【００３４】
発明の実施の形態６．
上記発明の実施の形態５では、レンタルビデオ店４での不法コピーの防止を行う方法を示したが、ビデオデータを配信するサーバ１側で会員の顧客情報を管理し、他の業種にも利用可能としてもよい。
本実施形態に係るレンタルビデオシステムは、レンタルビデオ店４の顧客（会員）情報をサーバ１側で管理し、サーバ１がレンタルビデオに限らず、さまざまな業種において、会員の希望する情報を提供することができるシステムである。
【００３５】
図７はビデオデータを配信するサーバ１内にレンタルビデオ会員の顧客情報を記憶した顧客情報データベース１５が備えられたシステム構成図である。
サーバ１では、レンタルビデオ店４にて会員がレンタルを行う毎にレンタル装置５から顧客情報を取得し、顧客情報データベース１５に記憶された顧客情報を更新する。
サーバ１では顧客情報データベース１５に記憶された顧客情報を管理すると共に今後の事業のデータとして顧客情報を使用する。
【００３６】
このようにビデオデータ配信事業者が、サーバ１内にて管理された顧客情報をもとに、顧客のニーズにあう情報、例えば新刊案内、新譜案内、旅行案内などを顧客に提供し、レンタルビデオとは別の他の業種に展開することで他の業種の顧客エリアを広げることを可能にする。
【００３７】
以上、ビデオデータを配信するサーバ１にて会員の顧客情報を管理し、その情報を他の業種に展開することを特徴とするレンタルビデオシステムについて説明した。
【００３８】
以上のように実施の形態６によれば、サーバ１にて顧客情報を管理し、顧客のニーズにあう情報を提供することで、他の業種に展開することができるという効果が得られる。
【００３９】
図８は、レンタル装置のコンピュータ基本構成図である。
図８において、プログラムを実行するＣＰＵ（Ｃｅｎｔｒａｌ  Ｐｒｏｃｅｓｓｉｎｇ  Ｕｎｉｔ）４０は、バス３８を介してモニタ４１、キーボード４２、マウス４３、通信ボード４４、磁気ディスク装置４６等と接続されている。
磁気ディスク装置４６には、オペレーティングシステム（ＯＳ）４７、プログラム群４９、ファイル群５０が記憶されている。ただし、プログラム群４９、ファイル群５０が一体となってオブジェクト指向のプログラム群４９を形成する形態も一実施の形態として考えられる。
プログラム群４９は、ＣＰＵ４０、ＯＳ４７により実行される。
上記各実施の形態では、レンタル装置は、通信ポート４４の機能を使用して、ネットワークを経由してサーバ１と通信を行う。
【００４０】
すべての実施の形態では、各構成要素の各動作はお互いに関連しており、各構成要素の動作は、上記に示された動作の関連を考慮しながら、一連の動作として置き換えることができる。そして、このように置き換えることにより、方法の発明の実施形態とすることができる。
また、上記各構成要素の動作を、各構成要素の処理と置き換えることにより、プログラムの実施の形態とすることができる。
また、プログラムを、プログラムを記録したコンピュータ読み取り可能な記録媒体に記憶させることで、プログラムに記録したコンピュータ読み取り可能な記録媒体の実施の形態とすることができる。
【００４１】
従って、レンタルプログラムの実施の形態は、自装置を認証する認証情報をサーバへ送信し、送信した認証情報に基づいて自装置の認証を受けたサーバからレンタルするメディア情報を受信する処理と、レンタル対象者毎にメディア情報の再生を許可する再生条件を特定し、特定した再生条件情報と上記受信したメディア情報とを、レンタル対象者にレンタルするデータ記録媒体に書きこむ処理とをコンピュータに実行させるためのレンタルプログラムを記録したコンピュータ読み取り可能な記録媒体、というように、レンタルプログラムに記録したコンピュータ読み取り可能な記録媒体の実施の形態とすることができる。
【００４２】
プログラムの実施の形態及びプログラムに記録したコンピュータ読み取り可能な記録媒体の実施の形態は、すべてコンピュータで動作可能なプログラムにより構成することができる。
プログラムの実施の形態およびプログラムを記録したコンピュータ読み取り可能な記録媒体の実施の形態における各処理はプログラムで実行されるが、このプログラムは、記録装置に記録されていて、記録装置から中央処理装置（ＣＰＵ）に読み込まれ、中央処理装置によって、各フローチャートが実行されることになる。
また、各実施の形態のソフトウェアやプログラムは、ＲＯＭ（ＲＥＡＤ  ＯＮＬＹ  ＭＥＭＯＲＹ）に記憶されたファームウェアで実現されていても構わない。あるいは、ソフトウェアとファームウェアとハードウェアとの組み合わせで前述したプログラムの各機能を実現しても構わない。
【００４３】
【発明の効果】
この発明によれば、サーバからビデオデータのダウンロードを行うため、レンタルビデオ店では在庫を不要にできるという効果がある。
【００４４】
この発明によれば、会員にパスワード付きでデータ記録媒体に書き込みを行うため、ビデオデータの不正使用を防止する事ができるという効果がある。
【００４５】
この発明によれば、各会員毎に異なる特定のスクランブルを使用し、またスクランブルを解除する装置を設置しなければ視聴可能にならないことで、ビデオデータの不正使用の防止ができるという効果がある。
【００４６】
この発明によれば、ビデオデータの画質の選択に応じレンタルビデオ店ではその選択された画質のランクに応じた料金でレンタルを行うことで、料金のランクづけができるという効果がある。
【００４７】
この発明によれば、ビデオデータの広告書き込みの選択に応じレンタルビデオ店では広告書き込みの有無に応じた料金でレンタルを行うことで、料金のランクづけができ、会員はレンタルしやすくなるという効果がある。
【００４８】
この発明によれば、毎回データダウンロードの認証時に暗号鍵を取得しなければデータの書き込みが可能にならないことで、ビデオデータの不正使用の防止ができるという効果がある。
【００４９】
この発明によれば、サーバにて顧客情報を管理し、ニーズに合う情報を提供することで、他の業種に展開することができるという効果がある。
【図面の簡単な説明】
【図１】この発明の実施の形態１によるサーバとレンタルビデオ店４のレンタル装置５を示すものである。
【図２】この発明の実施の形態１による書きこみ部の動作を表すフローチャートである。
【図３】この発明の実施の形態２によるスクランブル解除を行う再生装置９設置におけるビデオデータ視聴を示すものである。
【図４】この発明の実施の形態３によるサーバとレンタル装置５を示すものである。
【図５】この発明の実施の形態４によるサーバとレンタル装置５を示すものである。
【図６】この発明の実施の形態５によるサーバとレンタル装置５を示すものである。
【図７】この発明の実施の形態６によるサーバとレンタル装置５を示すものである。
【図８】レンタル装置のコンピュータ基本構成図である。
【符号の説明】
１  サーバ、２  認証部、３  データベース、４  レンタルビデオ店、５  レンタル装置、６  一時記憶部、７  書きこみ部、８  データ記録媒体、９  再生装置、１０  スクランブル解除部、１１  データ再生部、１２  モニタ、１３  画質選択部、１４  広告選択部、１５  顧客情報データベース、２０  通信部、２１  レンタル料決定部、３０  配信部。
【図１】
2004178047.tif 000003
【図２】
2004178047.tif 000004
【図３】
2004178047.tif 000005
【図４】
2004178047.tif 000006
【図５】
2004178047.tif 000007
【図６】
2004178047.tif 000008
【図７】
2004178047.tif 000009
【図８】
2004178047.tif 000010